(57)【要約】【課題】  ホルダ本体と弦との間隔を適切かつ容易に調整でき、それにより、ダンパーの適正な動作を確保することができるグランドピアノのダンパーホルダを提供する。【解決手段】  鍵２の押鍵および離鍵に伴って水平に張られた弦Ｓに対して離接することによって、弦Ｓの振動による発音を許容および停止するダンパー２１を案内するグランドピアノのダンパーホルダ１であって、弦Ｓの下方に設けられた基部３１と、ダンパーワイヤ２１ｃが通されたガイド孔３３ｂを有し、基部３１に設けられ、鍵２の押鍵および離鍵に伴って上下方向に移動するダンパー２１を、ガイド孔３３ｂを介して案内するホルダ本体３３と、ホルダ本体３３を基部３１に対して上下方向の任意の位置に位置決めする手段３２と、ホルダ本体３３を、位置決め手段により位置決めされた状態で、基部３１に固定する手段３４と、を備えている。【選択図】  図２
2008216922.tif 000002
【特許請求の範囲】
【請求項１】
上下方向に延びるダンパーワイヤを一体に有し、鍵の押鍵および離鍵に伴って上方および下方にそれぞれ移動することにより、水平に張られた弦に対して離接することによって、当該弦の振動による発音を許容および停止するダンパーを、前記ダンパーワイヤを介して案内するグランドピアノのダンパーホルダであって、
前記弦の下方に設けられた基部と、
前記ダンパーワイヤが通されたガイド孔を有し、前記基部に設けられ、前記鍵の押鍵および離鍵に伴って上下方向に移動する前記ダンパーを、前記ガイド孔を介して案内するホルダ本体と、
当該ホルダ本体を前記基部に対して上下方向の任意の位置に位置決めする位置決め手段と、
前記ホルダ本体を、前記位置決め手段により位置決めされた状態で、前記基部に固定する固定手段と、
を備えていることを特徴とするグランドピアノのダンパーホルダ。
【請求項２】
前記ホルダ本体は取付け孔を有し、
前記位置決め手段は、つば部と、当該つば部よりも上側のボルト部および下側のねじ込み部とを有し、前記ボルト部が前記ホルダ本体の前記取付け孔に通され、かつ前記つば部が前記ホルダ本体に下方から当接した状態で、前記基部にねじ込まれた前記ねじ込み部のねじ込み量によって、前記ホルダ本体を前記基部に対して上下方向に位置決めする位置決め用ねじで構成され、
前記固定手段は、前記位置決め用ねじの前記ボルト部にねじ込まれ、締め付けられた固定ナットで構成されていることを特徴とする請求項１に記載のグランドピアノのダンパーホルダ。
【発明の詳細な説明】
【技術分野】
【０００１】
本発明は、押鍵に伴って作動するダンパーを、ダンパーワイヤを介して案内するグランドピアノのダンパーホルダに関する。
【背景技術】
【０００２】
従来のダンパーホルダとして、例えば特許文献１に開示されたものが知られている。このダンパーホルダは、グランドピアノの一般的なダンパーホルダと同様に構成され、鍵盤の後方に設けられており、通常、響板の上面前端部に設けられた複数の脚と、弦から所定の間隔を隔てるように複数の脚に取り付けられたホルダ本体（ダンパーガイドレール）を備えている。このホルダ本体には、上下方向に貫通するガイド孔が形成されている。
【０００３】
また、グランドピアノのダンパーは、ピアノの中低音域に鍵ごとに設けられており、鍵の後方に設けられたダンパーレバーと、下端部においてダンパーレバーに連結され、弦と弦の間を通ってそれらの上方に延びる細長いダンパーワイヤと、ダンパーワイヤの上端部に取り付けられ、自重により弦を上方から押圧するダンパーヘッドを備えている。ダンパーワイヤは、上述したホルダ本体のガイド孔に通されており、押鍵に伴い、ダンパーヘッドは、ダンパーレバーおよびダンパーワイヤを介して上方に駆動され、弦から離れることによって、弦の振動による発音が許容される。その際、ダンパーは、ダンパーワイヤおよびホルダ本体のガイド孔を介して、上下方向に案内される。
【０００４】
上述したように、ダンパーワイヤは上下方向に細長く延びているので、ダンパーヘッドを適正に動作させるためには、ダンパーワイヤを案内するホルダ本体を、ダンパーヘッドにできるだけ近い位置に配置することが好ましい。一方、振動する弦がホルダ本体に接触しないようにするために、ホルダ本体と弦との間にある程度の間隔を確保する必要がある。このため、従来、響板に取り付ける前に、脚の上面を治具などを用いながら切削することにより、ホルダ本体の高さを調整することが行われている。しかし、前述したように、響板とホルダ本体の間には複数の脚が設けられているので、ホルダ本体と弦の間の間隔を調整するためには、上記のような切削加工をすべての脚に対して行わなければならず、調整作業が非常に煩雑になってしまう。
【０００５】
本発明は、上記のような課題を解決するためになされたものであり、ホルダ本体と弦との間隔を適切かつ容易に調整でき、それにより、ダンパーの適正な動作を確保することができるグランドピアノのダンパーホルダを提供することを目的としている。
【０００６】
【特許文献１】特開２００１−３１２２７２号公報
【発明の開示】
【課題を解決するための手段】
【０００７】
上記の目的を達成するために、請求項１に係る発明は、上下方向に延びるダンパーワイヤを一体に有し、鍵の押鍵および離鍵に伴って上方および下方にそれぞれ移動することにより、水平に張られた弦に対して離接することによって、弦の振動による発音を許容および停止するダンパーを、ダンパーワイヤを介して案内するグランドピアノのダンパーホルダであって、弦の下方に設けられた基部と、ダンパーワイヤが通されたガイド孔を有し、基部に設けられ、鍵の押鍵および離鍵に伴って上下方向に移動するダンパーを、ガイド孔を介して案内するホルダ本体と、ホルダ本体を基部に対して上下方向の任意の位置に位置決めする位置決め手段と、ホルダ本体を、位置決め手段により位置決めされた状態で、基部に固定する固定手段と、を備えていることを特徴とする。
【０００８】
このグランドピアノのダンパーホルダによれば、水平に張られた弦の下方に設けられた基部に、ホルダ本体が設けられている。ダンパーは、ホルダ本体に設けられたガイド孔、およびこれに通されたダンパーワイヤを介して案内されながら、押鍵に伴って上方に移動し、弦から離れることによって、弦の振動による発音を許容するとともに、離鍵に伴って下方に移動し、弦に当接することによって、発音を停止する。
【０００９】
また、ホルダ本体は、位置決め手段により、基部に対して上下方向の任意の位置に位置決めされ、その状態で、固定手段によって基部に固定される。このように、ホルダ本体を基部対して上下方向の任意の位置に位置決めすることによって、ホルダ本体と弦との間の間隔が調整される。したがって、従来のような、ホルダ本体の高さを調整するための脚の切削加工が不要になり、ホルダ本体と弦との間の間隔を、従来よりも容易に調整することができる。その結果、ホルダ本体を、振動する弦との接触を回避しながら、ダンパーにできるだけ近い所望の位置に配置できるので、ダンパーの適正な動作を確保することができる。
【００１０】
請求項２に係る発明は、請求項１に記載のグランドピアノのダンパーホルダにおいて、ホルダ本体は取付け孔を有し、位置決め手段は、つば部と、つば部よりも上側のボルト部および下側のねじ込み部とを有し、ボルト部がホルダ本体の取付け孔に通され、かつつば部がホルダ本体に下方から当接した状態で、基部にねじ込まれたねじ込み部のねじ込み量によって、ホルダ本体を基部に対して上下方向に位置決めする位置決め用ねじで構成され、固定手段は、位置決め用ねじのボルト部にねじ込まれ、締め付けられた固定ナットで構成されていることを特徴とする。
【００１１】
この構成によれば、位置決め用ねじのねじ込み部は、基部にねじ込まれており、つば部はホルダに当接し、ボルト部は、ホルダ本体に設けられた取付け孔に通され、ホルダ本体の上方に突出している。したがって、基部へのねじ込み部のねじ込み量を調整することにより、ホルダ本体が基部に対して上下方向の任意の位置に位置決めされる。そして、ホルダ本体から突出したボルト部に固定ナットをねじ込み、締め付けることにより、ホルダ本体は、つば部と固定ナットの間に挟み付けられた状態で、位置決め用ねじを介して基部に固定されている。
【００１２】
したがって、基部への位置決め用ねじのねじ込み量を変化させるだけで、ホルダ本体と弦との間の間隔を、所望の値に容易に調整することができる。また、ホルダ本体は、位置決め用ねじおよび固定ナットだけで基部に固定されるので、従来の脚を省略することができ、ダンパーホルダの組立て作業をより容易に行うことができる。
【発明を実施するための最良の形態】
【００１３】
以下、本発明の好ましい実施形態を、図面を参照しながら詳細に説明する。図１は、本発明の第１実施形態によるグランドピアノのダンパーホルダ１と、グランドピアノの左右方向に並んだ複数の鍵２（１つのみ図示）と、アクション３などを、離鍵状態において示している。なお、以下の説明では、演奏者側から見たときのグランドピアノの手前側を「前」、奥側を「後」として説明する。
【００１４】
棚板４上には筬５が設けられている。この筬５は、前側から順に筬前（図示せず）、筬中５ａおよび筬後５ｂを有しており、筬中５ａにはバランスピン５ｃが鍵２ごとに立設されている。鍵２は、白鍵および黒鍵（図示せず）で構成されており、前後方向（図１の左右方向）に延び、その中央において、バランスピン５ｃを介して筬中５ａに回動自在に支持されている。また、鍵２の後端部は、離鍵状態において、筬後５ｂに着座している。
【００１５】
また、筬５には、左右方向に並設された複数のブラケット６（１つのみ図示）が設けられており、これらのブラケット６の間にはハンマーシャンクレール７が渡されている。ハンマーシャンクレール７には、ハンマーシャンクフレンジ８が鍵２ごとに設けられており（１つのみ図示）、各ハンマーシャンクフレンジ８には、ハンマー９が回動自在に支持されている。
【００１６】
ハンマー９は、前後方向に延びるハンマーシャンク９ａ、およびその後端部に設けられたハンマーへッド９ｂを有しており、ハンマーヘッド９ｂは、上方に水平に張られた弦Ｓに対向している。ハンマーシャンク９ａの下面の前端部には、シャンクローラ９ｃが設けられている。
【００１７】
アクション３は、鍵２の後部の上方に設けられており、ウィッペン１１と、ウィッペン１１に回動自在に取り付けられたジャック１２およびレペティションレバー１３などを、鍵２ごとに有している（いずれも１つのみ図示）。また、複数のブラケット６の間には、ウィッペンレール１０が渡されており、ウィッペン１１は、このウィッペンレール１０にねじ止めされたウィッペンフレンジ１０ａに、回動自在に支持されている。ウィッペン１１の前後方向の中央には、下方に突出するヒール部１１ａが設けられており、ウィッペン１１は、このヒール部１１ａを介して、鍵２の後部に設けたキャプスタンスクリュー２ｄに載置されている。
【００１８】
レペティションレバー１３は、斜め前上がりに前後方向に延びており、その中央において、ウィッペン１１に回動自在に取り付けられている。レペティションレバー１３の前部には、上下方向に貫通するジャック案内孔１３ａが形成されており、ハンマー９は、このレペティションレバー１３のジャック案内孔１３ａ付近に、シャンクローラ９ｃを介して載置されている。また、レペティションレバー１３の前端部は、前述したハンマーシャンクフレンジ８の下面に設けられたドロップスクリュー８ａに、下方から対向している。
【００１９】
ジャック１２はＬ字状に形成されており、その角部において、ウィッペン１１の前端部に回動自在に取り付けられている。また、ジャック１２の上端部は、レペティションレバー１３のジャック案内孔１３ａに係合するとともに、レペティションレバー１３に載置されたシャンクローラ９ｃに、若干の間隔を存して対向している。
【００２０】
鍵２の後方には、左右方向に延びるダンパーレバーレール１５が設けられている。このダンパーレバーレール１５には、ダンパーレバーフレンジ１５ａが、中低音域の鍵２ごとにねじ止めされており、各ダンパーレバーフレンジ１５ａには、ダンパー２１が設けられている。
【００２１】
ダンパー２１は、ダンパーレバーフレンジ１５ａに取り付けられたダンパーレバー２１ａと、その前部に取り付けられたダンパーワイヤフレンジ２１ｂと、ダンパーワイヤフレンジ２１ｂから上方に延びるダンパーワイヤ２１ｃと、ダンパーワイヤ２１ｃに取り付けられたダンパーヘッド２１ｄを有している。
【００２２】
ダンパーレバー２１ａは、前後方向に延び、後端部においてダンパーレバーフレンジ１５ａに回動自在に支持されるとともに、リフティングレール１６に載置されており、前端部が鍵２の後端部に上方から対向している。また、ダンパーワイヤフレンジ２１ｂは、ダンパーレバー２１ａに回動自在に取り付けられており、ダンパーワイヤ２１ｃは、このダンパーワイヤフレンジ２１ｂから、隣り合う弦Ｓ、Ｓの間を通ってそれらの上方まで延びている。また、ダンパーヘッド２１ｄはダンパーワイヤ２１ｃの上端部に取り付けられ、その下面に貼り付けられた前後２つのダンパーフェルト２１ｅ、２１ｅを有しており、離鍵状態において、ダンパーフェルト２１ｅ、２１ｅを介して上方から弦Ｓに当接している。
【００２３】
また、ダンパーホルダ１は、アクション３の後方に設けられており、図２および図３に示すように、響板３１（基部）と、その上面前端部に設けられた複数の位置決め用ねじ３２（位置決め手段）と、この位置決め用ねじ３２を介して響板３１に取り付けられた複数のダンパーワイヤガイドホルダ（以下、単に「ガイドホルダ」という）３３（ホルダ本体）などを備えている。
【００２４】
響板３１は、弦Ｓの振動を空気振動に変換し、ピアノ音を発生させるためのものであり、例えばスプルスなどの木質材で構成されるとともに、弦Ｓの下方に配置され、打ち廻し１７の上面に接着されている。また、図４に示すように、位置決め用ねじ３２は、中央のつば部３２ａと、このつば部３２ａよりも上側のボルト部３２ｂおよび下側のねじ込み部３２ｃを一体に有している。ボルト部３２ｂは、後述する固定ナット３４を取り付けるためのものであり、その上面には、溝３２ｄが形成されている。また、ねじ込み部３２ｃは、木ねじで構成されており、位置決め用ねじ３２が、溝３２ｄを介してドライバで回されることにより、響板３１にねじ込まれている。このねじ込み部３２ｃのねじ込み部位は、各弦Ｓと左右方向にずれており、それにより、押鍵に伴って振動する弦Ｓが、位置決め用ねじ３２に接触しないようになっている。また、ねじ込み部３２ｃの先端部は、響板３１を貫通し、これを取り付けた打ち廻し１７まで達している。
【００２５】
ガイドホルダ３３は、例えば低音域および中音域のそれぞれに分割して設けられており、木質材で構成され、左右方向に延びている。各ガイドホルダ３３は、前後方向に長い長方形状の断面を有しており、その後部寄りの所定の部位に、上下方向に貫通する複数の取付け孔３３ａが、左右方向に並んで形成されている。各取付け孔３３ａには、位置決め用ねじ３２のボルト部３２ｂが下方から通され、上方に突出しており、ガイドホルダ３３はつば部３２ａに当接している。また、ボルト部３２ｂには固定ナット３４がねじ込まれ、締め付けられている。それにより、ガイドホルダ３３は、つば部３２ａと固定ナット３４によって挟み付けられた状態で、位置決め用ねじ３２を介して、響板３１に固定されている。
【００２６】
このように固定されたガイドホルダ３３の前部は、響板３１よりも前側に突出しており、その所定の部位には、上下方向に貫通する複数のガイド孔３３ｂが、左右方向に並ぶように形成されている。各ガイド孔３３ｂ内には、ホルダブッシングクロス（図示せず）が取り付けられている。ダンパーワイヤ２１ｃは、ホルダブッシングクロスを介してガイド孔３３ｂに通されている。
【００２７】
以上の構成によれば、例えば固定ナット３４を取り付ける前に、響板３１へのねじ込み部３２ｃのねじ込み量を調整することによって、ガイドホルダ３３と響板３１の間の間隔が無段階に調整される。それに応じて、ガイドホルダ３３と上方の弦Ｓとの間の間隔Ｄもまた、無段階に調整される。この間隔Ｄは、押鍵に伴って振動する弦Ｓがガイドホルダ３３に接触せず、且つ上方のダンパーヘッド２１ｄにできるだけ近い所定の値（例えば７ｍｍ）に設定されている。そして、間隔Ｄの調整が終了した後、固定ナット３４をボルト部３２ｂにねじ込み、締め付けることによって、ガイドホルダ３３は響板３１に固定される。また、このような間隔Ｄの調整は、固定ナット３４を緩め、位置決め用ねじ３２に取り付けた状態のまま、行うことも可能である。
【００２８】
次いで、押鍵に伴うアクション３やダンパー２１などの動作を簡単に説明する。図１に示す離鍵状態から鍵２が押鍵されると、ウィッペン１１が、鍵２で突き上げられることにより上方に回動し、それと一緒にジャック１２およびレペティションレバー１３が上方に移動する。この移動に伴い、レペティションレバー１３が、シャンクローラ９ｃを介してハンマー９を押し上げる。押鍵がさらに進むと、レペティションレバー１３の前端部がドロップスクリュー８ａに係合することにより、レペティションレバー１３の上方への移動が規制される一方、ジャック１２は、さらに上方に移動することにより、シャンクローラ９ｃを介してハンマー９を突き上げ、上方に回動させる。
【００２９】
一方、ダンパー２１は、押鍵に伴って回動する鍵２の後端部で突き上げられることにより、作動する。具体的には、ダンパーレバー２１ａが、同図の反時計方向に回動し、それと一緒にダンパーワイヤフレンジ２１ｂ、ダンパーワイヤ２１ｃおよびダンパーヘッド２１ｄが上方に移動することによって、ダンパーヘッド２１ｄが弦Ｓから離れる。この移動の際、ダンパー２１は、ガイド孔３３ｂおよびダンパーワイヤ２１ｃを介して案内される。そして、この状態で、上方に回動したハンマー９が弦Ｓを打弦し、弦Ｓの振動による発音が許容される。
【００３０】
そして、鍵２が離鍵され、押鍵時と逆方向に回動することにより、ダンパー２１は、ガイド孔３３ｃおよびダンパーワイヤ２１ｃを介して案内されながら、自重により下方に移動する。それにより、ダンパーヘッド２１ｄが弦Ｓに当接し、これを押圧することによって、弦Ｓの振動による発音が停止される。
【００３１】
以上のように、本実施形態のダンパーホルダ１によれば、ガイドホルダ３３を響板３１に対して上下方向の任意の位置に位置決めすることによって、ガイドホルダ３３と弦Ｓとの間の間隔Ｄが無段階に調整される。したがって、従来のような、ガイドホルダ３３の高さを調整するための脚の切削加工が不要になり、ガイドホルダ３３と弦Ｓとの間の間隔Ｄを、従来よりも容易に調整することができる。その結果、ガイドホルダ３３を、振動する弦Ｓとの接触を回避しながら、ダンパーヘッド２１ｄにできるだけ近い所望の位置に容易に配置でき、ダンパー２１の適正な動作を確保することができる。
【００３２】
また、響板３１への位置決め用ねじ３２のねじ込み量を変化させるだけで、ガイドホルダ３３と弦Ｓとの間の間隔Ｄを、所望の値に容易に調整することができる。さらに、ガイドホルダ３３は、位置決め用ねじ３２および固定ナット３４だけで響板３１に固定されるので、従来の脚を省略することができる。また、位置決め用ねじ３２のねじ込み量の調整を、位置決め用ねじ３２の上面に形成した溝３２ｄを介して、作業を行いやすい上方のスペースから行えるので、この調整作業をより容易に行うことができる。
【００３３】
図５は、ダンパーホルダの変形例を示している。このダンパーホルダ６１では、位置決め用ねじ３２のボルト部３２ｅの長さは、第１実施形態のボルト部３２ｂよりも短く、ガイドホルダ３３の厚さよりも若干、大きい。また、このダンパーホルダ６１では、六角形の固定ナット３４に代えて、円形の固定ナット６４（固定手段）が用いられている。図６に示すように、この固定ナット６４の上面には、その中心のねじ孔６４ａからずれた位置に、溝６４ｂが形成されている。また、ガイドホルダ３３の上面には、取付け孔３３ａと同心状に、断面円形の凹部３３ｃが形成されている。
【００３４】
固定ナット６４は、ボルト部３２ｅにねじ込まれ、溝６４ｂを介してドライバで締め付けられており、凹部３３ｃにほぼ収容されるとともに、その底面に当接している。それにより、ガイドホルダ３３は、つば部３２ａと固定ナット６４によって挟み付けられた状態で、位置決め用ねじ３２を介して、響板３１に固定されている。また、固定ナット６４およびボルト部３２ｅは、ガイドホルダ３３から上方に若干、突出している。
【００３５】
以上のように、この変形例によれば、ボルト部３２ｅおよび固定ナット６４がガイドホルダ３３の凹部３３ｃに収容されていて、ガイドホルダ３３からの突出長さが非常に小さいので、これらと振動する弦Ｓとの接触を確実に回避でき、ガイドホルダ３３を、ダンパーヘッド２１ｄにさらに近い位置に配置することができる。また、位置決め用ねじ３２のねじ込み量の調整だけでなく、固定ナット６４の締付けを、溝６４ｂを介して、スペースに比較的余裕のある上方から行えるので、ガイドホルダ３３の取付け作業をより容易に行うことができる。
【００３６】
図７は、第２実施形態によるダンパーホルダ４１を示している。このダンパーホルダ４１は、前述した第１実施形態のダンパーホルダ１と同様の響板３１およびガイドホルダ３３を備えている。また、ガイドホルダ３３の裏面には、複数のねじ取付け部材４２が、左右方向に間隔を隔てて配置され、固定されている（２つのみ図示）。
【００３７】
各ねじ取付け部材４２は、ブロック状に形成されており、その左端部には、位置決め用ねじ４３（位置決め手段）が下方からねじ込まれている。この位置決め用ねじ４３の頭部４３ａは、丸みを持った曲面形状を有しており、響板３１に当接している。
【００３８】
また、ねじ取付け部材４２の位置決め用ねじ４３の右側には、上下方向に貫通する取付け孔４２ａが形成され、ガイドホルダ３３には、この取付け孔４２ａに連続するとともに上下方向に貫通する取付け孔３３ａが形成されている。これらの取付け孔３３ａ、４２ａには、固定ねじ４４（固定手段）が上方から通され、響板３１および打ち廻し１７にねじ込まれている。これにより、ガイドホルダ３３は、ねじ取付け部材４２および位置決め用ねじ４３を介して、固定ねじ４４によって響板３１に固定されている。
【００３９】
以上の構成によれば、ガイドホルダ３３を固定ねじ４４で響板３１に固定する前に、ねじ取付け部材４２への位置決め用ねじ４３のねじ込み量を調整するだけで、響板３１に対するガイドホルダ３３の上下方向の位置を無段階に容易に調整することができる。それにより、ガイドホルダ３３と弦Ｓとの間の間隔Ｄを、適切かつ容易に調整することができる。
【００４０】
図８は、第３実施形態によるダンパーホルダ５１を示している。このダンパーホルダ５１は、前述した第１および第２実施形態のダンパーホルダ１、４１と同様の響板３１およびガイドホルダ３３を備えている。また、ガイドホルダ３３の裏面には、合成樹脂または金属から成る複数のねじ取付け部材５２が、左右方向に間隔を隔てて配置され、固定されている（１つのみ図示）。
【００４１】
ねじ取付け部材５２の左右の端部には、その厚さの半分程度の深さを有する凹部５２ａ、５２ａが形成されている。また、ガイドホルダ３３には、これらの凹部５２ａ、５２ａに連続するとともに上下方向に貫通する貫通孔３３ｂ、３３ｂが形成されている。また、各凹部５２ａの底部には、これを貫通するねじ孔５２ｂが形成されている。このねじ孔５２ｂに、位置決め用ねじ５３（位置決め手段）がねじ込まれており、その上部は凹部５２ａに収容されている。
【００４２】
また、この位置決め用ねじ５３は、その上面に形成された溝５３ａを有し、この溝５３ａを介してドライバで回されることにより、ねじ孔５２ｂにねじ込まれている。位置決め用ねじ５３の下部は、ねじ取付け部材５２から下方に突出し、響板３１に当接している。
【００４３】
また、ねじ取付け部材５２の左右の凹部５２ａ、５２ａの間には、上下方向に貫通する取付け孔５２ｃが形成されている。また、ガイドホルダ３３には、この取付け孔５２ｃに連続するとともに、上下方向に貫通する取付け孔３３ｃが形成されている。これらの取付け孔３３ｃ、５２ｃには、固定ねじ５４（固定手段）が上方から通され、響板３１および打ち廻し１７にねじ込まれている。これにより、ガイドホルダ３３は、ねじ取付け部材５２および位置決め用ねじ５３、５３を介して、固定ねじ５４によって響板３１に固定されている。
【００４４】
以上の構成によれば、ガイドホルダ３３を固定ねじ５４で響板３１に固定する前に、左右のねじ孔５２ｂ、５２ｂへの位置決め用ねじ５３、５３のねじ込み量を調整するだけで、ガイドホルダ３３の響板３１に対する上下方向の位置を無段階に容易に調整することができる。それにより、ガイドホルダ３３と弦Ｓとの間の間隔Ｄを適切かつ容易に調整することができる。
【００４５】
なお、本発明は、説明した第１〜第３実施形態に限定されることなく、種々の態様で実施することができる。例えば、第１実施形態では、固定手段として、六角形の固定ナット３４を用いているが、これに代えて、変形例の円形の固定ナット６４を用いてもよい。また、これとは逆に、変形例において、固定ナット６４に代えて、第１実施形態の固定ナット３４を用いてもよい。
【００４６】
また、第３実施形態では、位置決め手段として、響板３１に当接する位置決め用ねじ５３を用いているが、響板３１の上面に、響板３１よりも硬度の大きな材質で構成されたねじ受けを設け、このねじ受けに位置決め用ねじ５３を当接させるようにしてもよい。それにより、固定ねじ５４をねじ込む際、位置決め用ねじ５３が響板３１に食い込むのを防止でき、その結果、ガイドホルダ３３の高さをより正確に位置決めできるとともに、響板３１の変形による音響的な特性への悪影響を回避することができる。その他、細部の構成を、本発明の趣旨の範囲内で適宜、変更することが可能である。
【図面の簡単な説明】
【００４７】
【図１】本発明の第１実施形態によるグランドピアノのダンパーホルダ、ダンパー、鍵およびアクションなどを、離鍵状態において示す側面図である。
【図２】図１のダンパーホルダおよびその付近を示す部分拡大側面図である。
【図３】ダンパーホルダを部分的に示す断面図である。
【図４】位置決め用ねじおよび固定ナットを示す斜視図である。
【図５】図１のダンパーホルダの変形例を示す側面図である。
【図６】変形例の位置決め用ねじおよび固定ナットを示す斜視図である。
【図７】第２実施形態によるダンパーホルダを部分的に示す断面図である。
【図８】第３実施形態によるダンパーホルダを部分的に示す断面図である。
【符号の説明】
【００４８】
１    ダンパーホルダ
３１    響板（基部）
３２    位置決め用ねじ（位置決め手段）
３２ａ  つば部
３２ｂ  ボルト部
３２ｃ  ねじ込み部
３３    ダンパーワイヤガイドホルダ（ホルダ本体）
３３ａ  取付け孔
３４    固定ナット（固定手段）
４１    ダンパーホルダ
４３    位置決め用ねじ（位置決め手段）
４４    固定ねじ（固定手段）
５１    ダンパーホルダ
５３    位置決め用ねじ（位置決め手段）
５４    固定ねじ（固定手段）
６１    ダンパーホルダ
６４    固定ナット（固定手段）
【図１】
2008216922.tif 000003
【図２】
2008216922.tif 000004
【図３】
2008216922.tif 000005
【図４】
2008216922.tif 000006
【図５】
2008216922.tif 000007
【図６】
2008216922.tif 000008
【図７】
2008216922.tif 000009
【図８】
2008216922.tif 000010